(57)【要約】【課題】複数本のボトル商品を１セットに装着でき、１つの販促品を付属するホルダーになり、ボトルに取り付けるのに際して、ワンタッチで着脱できるボトル用の販促品ホルダーを提供する。【解決手段】販促品ホルダー主体１に、１部切欠部７ａ，７ａを有する弾性係止具７，７を複数個設ける。その弾性係止具７，７によりボトルネック部に取り外し可能に取着される販促品ホルダーである。天板３とその下面に突設された周壁面４とでホルダー主体１を形成する。天板３と周壁面４とで囲まれる空間部を販促品収納部５とする。【選択図】図３
2008127076.tif 000002
【特許請求の範囲】
【請求項１】
販促品ホルダー主体に、１部切欠部を有する複数個の弾性係止具を設け、その弾性係止具をボトルのネック部に取り外し可能に取着する販促品ホルダーであって、天板とその下面に突設された周壁面とでホルダー主体を形成し、天板と周壁面とで囲まれる空間部を販促品収納部にしたことを特徴とするボトル用の販促品ホルダー。
【請求項２】
前記ホルダー主体は、プラスチック製で平面から見て略分銅形状に形成されていることを特徴とする請求項１に記載のボトル用の販促品ホルダー。
【請求項３】
販促品ホルダー主体に、１部切欠部を有する複数個の弾性係止具を設け、その弾性係止具をボトルのネック部に取り外し可能に取着する販促品ホルダーであって、天板と側板からなるホルダー主体を形成し、天板に販促品を収納した包装袋を吊設するフック片を設けたことを特徴とするボトル用の販促品ホルダー。
【請求項４】
前記弾性係止具は、Ｃ字状と逆Ｃ字状の２個がホルダー主体の両側下端面に形成されていることを特徴とする請求項１乃至３のいずれかに記載のボトル用の販促品ホルダー。
【発明の詳細な説明】
【技術分野】
【０００１】
本発明は、主として飲料水などを充填したペットボトルまたはガラス瓶などのネック部に装着するボトル用の販促品ホルダーに関するものであり、さらに詳しくは、複数本のボトルに対して１つの販促品を備えるようにしたボトル用の販促品ホルダーに関するものである。
【背景技術】
【０００２】
従来から、水、お茶、ジュースなどの飲料水や、醤油、ソース、酒、味醂、酢などの調味料はペットボトルやガラス瓶などに充填されており、スーパーマーケットやコンビニエンスストアまたは自動販売機などで販売されている。これらの商品には販売促進を図る目的で、小玩具やキャラクター、フィギュアなど小物の景品が収納されたホルダーをボトルのネック部に取り付けて販売することが行われている。
【０００３】
そのような景品ホルダーとしては、板紙やプラスチックシート材を適宜の形状に型抜きして所定の折込・係止・組立てを行って、景品を収納する空間部を設けると共に、ボトル係止部を設けた景品ホルダーがある（例えば、特許文献１〜３）。
【０００４】
また、別なものとして、包装用袋内に景品を収容しておき、包装用袋の上方部に貫通孔をあけ、その貫通孔をキャップに被せるようにして、ペットボトルのネック部に通して吊り下げるものが知られている（例えば、特許文献４〜６）。
【０００５】
【特許文献１】特開平８−７２８８１号公報
【特許文献２】特開２００１−１９９４４４号公報
【特許文献３】特開２００４−１８０３０号公報、
【特許文献４】登録実用新案３０９６４０２号公報
【特許文献５】特開平９−８６５４３号公報
【特許文献６】特開２００３−１９１９５９号公報
【発明の開示】
【発明が解決しようとする課題】
【０００６】
しかしながら、上記の特許文献１〜３の景品ホルダーや、特許文献４〜６の景品収容包装袋の場合は、いずれもボトル商品１本を購入した時に１つの景品が付くようにしたものであるが、最近では、より一層の販売を増やすために、ボトル商品２本をセットにして１つの景品を付属するということが行われてきており、そのような場合には適さないといった問題点があった。
【０００７】
本発明は、上記の問題を解決することを課題として研究開発されたもので、複数のボトル商品を１セットにして、１つの景品を付属するのに適したホルダーであり、ボトルへの着脱がワンタッチで行うことができるボトル用の販促品ホルダーを提供することを目的とするものである。
【課題を解決するための手段】
【０００８】
上記の課題を解決し、その目的を達成する手段として、本発明は、販促品ホルダー主体に、１部切欠部を有する複数個の弾性係止具を設け、その弾性係止具をボトルのネック部に取り外し可能に取着する販促品ホルダーであって、天板とその下面に突設された周壁面とでホルダー主体を形成し、天板と周壁面とで囲まれる空間部を販促品収納部にしたことを特徴とするボトル用の販促品ホルダーを開発し、採用した。
【０００９】
上記のように構成したボトル用の販促品ホルダーにおいて、前記ホルダー主体は、プラスチック製で平面から見て略分銅形状に形成されていることを特徴とするボトル用の販促品ホルダーを開発し、採用した。
【００１０】
また、本発明は、販促品ホルダー主体に、１部切欠部を有する複数個の弾性係止具を設け、その弾性係止具をボトルのネック部に取り外し可能に取着する販促品ホルダーであって、天板と側板からなるホルダー主体を形成し、天板に販促品を収納した包装袋を吊設するフック片を設けたことを特徴とするボトル用の販促品ホルダーを開発し、採用した。
【００１１】
上記のように構成したボトル用の販促品ホルダーにおいて、前記弾性係止具は、Ｃ字状と逆Ｃ字状の２個がホルダー主体の両側下端面に形成されていることを特徴とするボトル用の販促品ホルダーを開発し、採用した。
【発明の効果】
【００１２】
本発明の請求項１によれば、１部切欠部を有する複数個の弾性係止具を設けてあるから、複数本のボトルのネック部にワンタッチで装着でき、複数本を１セットにして、１つの販促品が付属するホルダーとして最適になる。また、天板と周壁面とで囲まれた空間部に販促品が収納されることから、販促品を収納しやすく、収納した後は傷めることがなくなる。
【００１３】
本発明の請求項２によれば、ホルダー主体が平面から見て略分銅形状に形成されてあるから、ボトルのネック部から口部にかけて凹設面に沿い安定して装着できると共に、従来のホルダーに比べて縦横方向に大きいことから、販促品収納部も大きくなり、従来の販促品より大きな販促品を収納することができる。
【００１４】
また、本発明の請求項３によれば、１部切欠部を有する複数個の弾性係止具を設けてあるから、複数本のボトルのネック部にワンタッチで装着でき、複数本を１セットにして、販促品収納された包装袋が１つ付属するホルダーとして用いることができ、包装袋を簡単に取り付けることができる。
【００１５】
さらに、本発明の請求項４によれば、２個の弾性係止具がＣ字状と逆Ｃ字状に形成され、ホルダー主体の下端面に設けてあるから、弾性係止具の切欠部が拡縮して弾性力に富み、ボトルのネック部への着脱が容易になる。
【発明を実施するための最良の形態】
【００１６】
以下に本発明の第１実施の形態を添付図の図１〜図４に基づいて説明すれば、１は平面から見て左右の側面を内方に半円状に食い込む凹設部２，２を設けて略分銅形状に形成された透明または不透明のプラスチック製の販促品ホルダー主体である。
【００１７】
このホルダー主体１は、天板３とその下面に突設された比較的深い周壁面４とでホルダー主体１を形成し、その天板３と周壁面４とで囲まれた空間部に小玩具やキャラクター、フィギュアなどの販促品Ａを納める収納部５にしてある。この収納部５には販促品Ａを入れておく容器６が嵌合してあり、ここでは立壁６ａ，６ａ，６ａを有する容器６を示しているが、立壁６ａ，６ａ，６ａを有しない蓋体だけの場合もある。
【００１８】
ホルダー主体１の左右側面に形成した凹設部２，２の下端面には平面から見て１部切欠部７ａ，７ａを有するＣ字状と逆Ｃ字状の弾性係止具７，７を設けてある。このＣ字状と逆Ｃ字状の弾性係止具７，７は、凹設部２，２の前後部で一体に接合され内接してあるが、中央部では凹設部２，２と接合せず円弧状の隙間８，８を設けて取り付けてあり、より一層の弾力性を付与するようになっている。
【００１９】
このように構成した本発明の第１実施形態の使用状態を作用、効果と共に説明すれば、一方の弾性係止具７の一部切欠部７ａをペットボトルＢの鍔部９の下面に当て、押せば弾性力により切欠部７ａが次第に広がって大きくなり、ネック部の径より大きくなった時点で弾性係止具７がネック部の鍔部９の下面に装着し１本のボトルＢに取り付けられる。続いて他方の弾性係止具７も前記と同様の方法によりボトルＢに取り付けられ、その取り付けがワンタッチで行うことができ、２本のボトルＢ，Ｂを１セットとして、１個の販促品Ａを付属するホルダーとして使用することができる。
【００２０】
ホルダー主体１を２本のボトルに装着後、ホルダー主体１を持ち上げたとしても、弾性係止具７，７の弾性挟持力と、弾性係止具７，７の上部が鍔部９，９に接していることから、弾性係止具７，７は外れたりすることがなく強固に装着される。装着されたホルダー主体１の空間部５には予め適宜の販促品Ａが収容されているから、販促品付属商品となり販売の向上が図れる。
【００２１】
また、ホルダー主体１は、略分銅形状に形成されてあるから、その両側面の半円状の凹設部２，２にボトルＢのネック部や口部が沿い安定した装着になると共に、比較的深さの深い周壁面とで縦横方向に空間部５が広くなり、これまでよりも大きな立体的な玩具や、キャラクター、フィギュアなどの販促品Ａを収納できる。さらに、ホルダー主体１の平板３が広いから、商品の宣伝広告表示面に利用できると共に、収納されている販促品Ａの情報などの説明書きなどにも利用できる。
【００２２】
また、透明プラスチック製のホルダー主体１を使用すると、収納されている販促品Ａが見えて購入者の欲しい物であれば購入することになり販売促進に寄与できる。また、不透明プラスチック製のホルダー本体１を使用すると、何が収納されているかの楽しみがある。
【００２３】
つぎに、図５〜図８は本発明の第２実施の形態を示すものであり、前記第１実施の形態と異なるのは、ホルダー主体１の形状が異なっている点と、販促品Ａがホルダー主体１に内蔵されているのでなく、包装用袋Ｃに収納されており、その包装用袋Ｃをフック片１１に吊るして用いる点が異なっているだけであり、その他の点は前記第１実施形態と同じであるから、同一部分には同一符号を付して説明は省略する。
【００２４】
すなわち、ホルダー主体１は、天板３と円弧状の両側板１０、１０とからなる正面形状が門型状に形成されており、両側板１０，１０の下端面に平面から見て１部切欠部７ａ，７ａを有するＣ字状と逆Ｃ字状の弾性係止具７，７を設けると共に、天板３の中央部にフック片１１を設けたものである。
【００２５】
このように構成した本発明の第２実施の使用状態を作用、効果と共に説明すれば、ホルダー本体１の左右に設けたＣ字状と逆Ｃ字状の弾性係止具７，７の一部切欠部７ａ，７ａにペットボトルＢ，Ｂの鍔部９，９の下面に当てがい押せば切欠部７ａ，７ａが広がって大きくなり、ワンタッチで弾性係止具７，７が鍔部９，９の下面に装着することになり、２本のボトルＢ，Ｂに対し１個の販促品Ａを付属できる。また、弾性係止具７，７の挟持力および弾性係止具７，７の上部が鍔部９，９に接していて、ホルダー本体１を持ち上げたとしても、外れたりすることがないのは前記第１実施の形態と同じである。
【００２６】
そして、販促品Ａの収容された包装用袋Ｃの上部に設けた吊り下げ孔１２をフック片１１に引っ掛けることにより、包装用袋Ｃを容易に取り付けることができ、２本のボトルＢ，Ｂに対し１個の販促品Ａを付属することができる。これまで販促品として用いることができなかった、長いシート状のものが利用できる。また、ホルダー主体１は、前記第１実施の形態に比べると小型化しているので装着が容易になる。
【００２７】
以上、本発明の２つの実施の形態について説明したが、本発明はこれらの実施の形態に限定されるものではなく、発明の目的を達成でき、且つ発明の要旨を逸脱しない範囲内で種々の設計変更が可能であることは当然である。
【産業上の利用可能性】
【００２８】
本発明は、水、お茶、清涼飲料水だけでなく、酒、醤油、ソース、油、酢など流体品が充填されたペットボトルやガラス瓶などの容器に装着する販促品用のホルダーとして有効に利用することができる。
【図面の簡単な説明】
【００２９】
【図１】本発明の第１実施形態の平面図である。
【図２】第１実施形態の底面図である。
【図３】図１のＡ−Ａ線縦断面図である。
【図４】第１実施形態の使用状態を示す正面図である。
【図５】本発明の第２実施形態の平面図である。
【図６】第２実施形態の底面図である。
【図７】第２実施形態の正面図である。
【図８】第２実施形態の使用状態を示す正面図である。
【符号の説明】
【００３０】
１    ホルダー主体
３    天板      
４    周壁面    
５    収納部  
７    弾性係止具
７ａ  一部切欠部    
１０  両側板
１１  フック片
Ａ    販促品
Ｂ    ボトル
Ｃ    包装袋
【図１】
2008127076.tif 000003
【図２】
2008127076.tif 000004
【図３】
2008127076.tif 000005
【図４】
2008127076.tif 000006
【図５】
2008127076.tif 000007
【図６】
2008127076.tif 000008
【図７】
2008127076.tif 000009
【図８】
2008127076.tif 000010